(57)【要約】      （修正有）【課題】統合式通信装置を提供する。【解決手段】主に公衆電話ネットワークとインターネットに接続可能で、一般市内通話或いはIP電話にダイヤル発信し、この通信装置は信号伝送端を備えるブルートゥースイヤホーンとイヤホーン載置槽と制御回路板を備える本体を含む。イヤホーン載置槽はブルートゥースイヤホーンを収容し、これによりブルートゥースイヤホーンの信号伝送端は制御回路板に電気的に接続される。制御回路板は制御モジュール４０１を含み、制御モジュール４０１はブルートゥースモジュール４０８、無線IP電話モジュール４１０、公衆電話モジュール４０３、音声情報エンコード/デコード回路４０７、判断・充電回路４１１及び音声情報切換モジュール４０５と接続され、各モジュール及び回路に対して制御を行う。この他、音声情報切換モジュールはエコー消去回路４０９を通して音声拡張器４１２及びマイク４１３に接続される。【選択図】図６
0003134043.tif 000002
【実用新案登録請求の範囲】
【請求項１】
信号伝送端を備えるブルートゥースイヤホーンと、イヤホーン載置槽と制御回路板を備える無線電話器本体とを含み、
前記イヤホーン載置槽は前記ブルートゥースイヤホーンを収容し、これにより前記ブルートゥースイヤホーンの信号伝送端は前記制御回路板に電気的に接続され、
前記制御回路板は制御モジュール、ブルートゥースモジュール、公衆電話モジュール、音声情報エンコード/デコード回路、判断・充電回路、音声情報切換モジュール、音声拡張器、マイク、エコー消去回路を含み、
前記ブルートゥースモジュールは前記制御モジュールと接続され、前記ブルートゥースイヤホーンと音声無線伝送を行い、
前記公衆電話モジュールは前記制御モジュールに接続されて公衆電話ネットワークと接続され、一般市内通話通信サービスを提供し、
前記音声情報エンコード/デコード回路は前記制御モジュールと前記ブルートゥースモジュールに接続され、前記音声情報エンコード/デコード回路はアナログ音声情報とデジタル音声情報の転換を提供し、
前記判断・充電回路は前記制御モジュールに接続され、前記判断・充電回路は前記イヤホーン載置槽に前記ブルートゥースイヤホーンが収容されているかどうかを判断し、前記イヤホーン載置槽に前記ブルートゥースイヤホーンが収容されている時には、前記ブルートゥースイヤホーンに対して充電を行い、
前記音声情報切換モジュールは前記制御モジュール、前記公衆電話モジュール及び前記音声情報エンコード/デコード回路に接続され、前記音声情報切換モジュールは前記制御モジュールの制御を受けて、音声情報伝送ルートを切換え、
前記エコー消去回路は前記音声情報切換モジュール、前記音声拡張器及び該マイクに接続され、前記エコー消去回路は前記音声拡張器と前記マイクの作動時に発生する共鳴音を消去することを特徴とする統合式通信装置。
【請求項２】
前記統合式通信装置はさらにディスプレーを含み、前記ディスプレーは前記制御モジュールに接続され、電池残量、充電状態、発信番号、電話帳のデータ表示を提供することを特徴とする請求項１記載の統合式通信装置。
【請求項３】
前記統合式通信装置はさらにボタンモジュールを含み、前記ボタンモジュールは前記制御モジュールに接続され、電話番号及び各項機能指令を前記制御モジュールに提供することを特徴とする請求項１記載の統合式通信装置。
【請求項４】
前記ブルートゥースイヤホーンにさらに吸着可能部品を設置し、前記本体のイヤホーン載置槽にさらに磁性部品を設置し、前記ブルートゥースイヤホーンが前記イヤホーン載置槽に接近すると、前記磁性部品は前記ブルートゥースイヤホーンの吸着可能部品を吸着し、これにより前記ブルートゥースイヤホーンは前記イヤホーン載置槽中に収容され、しかも前記ブルートゥースイヤホーンの信号伝送端は前記本体の制御回路板に電気的に接続されることを特徴とする請求項１記載の統合式通信装置。
【請求項５】
前記制御回路板はさらに無線IP電話モジュールを含み、該無線IP電話モジュールは前記制御モジュールに接続されてインターネットと接続され、IP電話通信サービスを提供することを特徴とする請求項１記載の統合式通信装置。
【請求項６】
前記ブルートゥースモジュールは遠方のブルートゥース携帯電話端末と音声無線伝送を行うことを特徴とする請求項５記載の統合式通信装置。
【考案の詳細な説明】
【技術分野】
【０００１】
本考案は一種の統合式通信装置に関する。特に一種の公衆電話ネットワーク（Public Switch Telephone Network；PSTN）とインターネット（Internet）を結合し、一般市内通話或いはIP電話（VoIP）へのダイヤル発信を提供する統合式通信装置に係る。
【背景技術】
【０００２】
一般の伝統的な電話器の実施形態図である図１に示すように、伝統的な電話器２は番号発信本体２０と受話器２２間に通信連接線２４の構造を備え、伝送線２６を利用し、公衆電話ネットワーク（PSTN）７に接続する。使用者は番号発信本体２０上のボタン２８により番号発信を行うことができ、公衆電話ネットワーク７を通して遠端の連絡者と接続し、受話器２２により連絡者と通話を行う。
しかし、無線通信技術のおかげで、番号発信本体２０が通信連接線２４を経由し受話器２２に連結する伝統的技術構造には改良が加えられ、無線通信機能を備えた無線番号発信受話器２’が誕生し、これに同様に無線通信機能を備えたベース２０’を対応させ、無線番号発信受話器２’とベース２０’の無線連結が可能となった（図２参照）。ベース２０’はさらに公衆電話ネットワーク７と接続され、一定の空間中において距離の制限を受けない通話を行うことができる。
また、インターネットの普及により、ブロードバンドで安価という特性を備えたIP電話通信が長距離電話或いは国際電話等の高価な公衆電話通信に代わって徐々に広がりを見せており、IP電話通信と公衆電話通信は人々の生活において交替で広く使用され始めている。
人々の生活において、ブルートゥースイヤホーン、ブルートゥース携帯電話端末などのブルートゥース通信技術もまた、あらゆる個人のモバイル通信設備において広く応用されている。図３は公知のブルートゥースイヤホーンとブルートゥース携帯電話端末の通信構造図である。公知のブルートゥース通信構造においては、ブルートゥース通信技術によってブルートゥース携帯電話端末３の着信音声情報S１をブルートゥースイヤホーン１に無線で伝送する。しかも、伝送しようとする音声情報S２をブルートゥースイヤホーン１を通して、ブルートゥース通信技術によりブルートゥース携帯電話端末３に無線伝送し、双方向音声伝送を行う。こうして、使用者は各種場所において電話を受ける時、ハンズフリー携帯電話端末の効果を達成することができる。
しかし、着信があった時、ブルートゥースイヤホーン１は１人の使用者にのみ通話を受けさせることができ、第三者或いは多数の人が通話に参加することはできない。これでは日常生活或いは仕事における通話の品質及び通話ニーズが大きく減じられてしまう。
上記のように、人々の生活において求められる通信品質は徐々に高くなっており、通信品質のニーズにおいては、公衆電話ネットワーク（PSTN）とIP電話（VoIP）を結合して交替で使用し、一般市内通話或いはIP電話にダイヤル発信できることが必要である。さらに使用者が各種場所において電話を受ける時、ハンズフリー受話器の効果を達成し、しかも第三者或いは多人数が通話に参加することができるようにすることが求められている。
【考案の開示】
【考案が解決しようとする課題】
【０００３】
本考案は統合式通信装置を提供し、それは公衆電話ネットワーク（PSTN）とインターネット（Internet）を結合し、一般市内通話或いはIP電話（VoIP）へのダイヤル発信を提供することができ、同時にブルートゥースイヤホーンを結合してハンズフリー受話器とし、しかも音声拡張機能を備え、第三者或いは多人数が通話に参加可能である。
【課題を解決するための手段】
【０００４】
上記課題を解決するため、本考案は下記の統合式通信装置を提供する。
本考案の統合式通信装置は、信号伝送端を備えるブルートゥースイヤホーン、イヤホーン載置槽と制御回路板を備える本体を含み、前記イヤホーン載置槽は前記ブルートゥースイヤホーンを収容し、前記ブルートゥースイヤホーンを収容する時、前記ブルートゥースイヤホーンの信号伝送端は制御回路板に電気的に接続され、前記制御回路板は制御モジュール、ブルートゥースモジュール、無線IP電話モジュール、公衆電話モジュール、音声情報エンコード/デコード回路、判断・充電回路、音声情報切モジュール、音声拡張器、マイク及びエコー消去回路を含み、前記ブルートゥースモジュールは前記制御モジュールに接続され、ブルートゥースイヤホーンと音声無線伝送を行うことができ、
前記無線IP電話モジュールは前記制御モジュールに接続されて前記インターネットと接続され、IP電話通信サービスを提供し、
前記公衆電話モジュールは前記制御モジュールに接続されて前記公衆電話ネットワークと接続され、一般市内通話通信サービスを提供し、
前記音声情報エンコード/デコード回路は前記制御モジュールと前記ブルートゥースモジュールに接続され、前記音声情報エンコード/デコード回路はアナログ音声情報とデジタル音声情報の転換を提供し、
前記判断・充電回路は前記制御モジュールに接続され、前記判断・充電回路は前記イヤホーン載置槽に前記ブルートゥースイヤホーンが収容されているかどうかを判断し、前記イヤホーン載置槽に前記ブルートゥースイヤホーンが収容されている時には、前記ブルートゥースイヤホーンに対して充電を行い、
前記音声情報切換モジュールは前記制御モジュール、前記公衆電話モジュール及び前記音声情報エンコード/デコード回路に接続され、前記音声情報切換モジュールは前記制御モジュールの制御を受けて、音声情報伝送ルートを切換え、
前記エコー消去回路は前記音声情報切換モジュール、前記音声拡張器及び前記マイクに接続され、音声拡張器とマイクの作動時に発生する共鳴音（ECHO）を消去する統合式通信装置を提供する。
【考案の効果】
【０００５】
上記のように、本考案の統合式通信装置は公衆電話ネットワーク（PSTN）とIP電話（VoIP）を結合し、一般市内通話或いはIP電話へのダイヤル発信を提供することができる。同時に本考案はブルートゥースイヤホーンを結合し、ハンズフリー受話器として使用可能とし、しかも提供する音声拡張機能により、第三者或いは多人数が通話に参加することができる。本考案の長所は以下の通りである。
１．本考案の統合式通信装置は公衆電話ネットワークとIP電話を交互使用或いは同時使用可能で、しかも通信システムに対応し多方向通信機能を達成することができる。
２．本考案のブルートゥースイヤホーンと本体は合併使用が可能で、通信システムに対応し多方向通信機能を達成することができる。
３．本考案のブルートゥースイヤホーンと本体は分離しそれぞれの機能を使用可能で、通信システムに対応し多方向通信機能を達成することができる。
このようにして、本考案は使用者に通信における多種の選択肢を提供し、人々の生活或いは仕事における通話品質を向上させることができる。
【考案を実施するための最良の形態】
【０００６】
本考案の特徴及び技術内容を説明するため、以下に本考案の詳細説明と図を用いる。図は参考と説明用に過ぎず、本考案に制限を加えるものではない。
本考案の第一実施例の外観図である図４に示すように、本考案の第一実施例の統合式通信装置はブルートゥースイヤホーン５と本体４を含む。
本考案の本体４は公衆電話ネットワーク（PSTN）７に有線接続され、及びインターネット（Internet）８に無線接続することができ、しかも一般市内通話或いはIP電話へのダイヤル発信を提供することができる。同時に、本考案の本体４はブルートゥース無線伝送技術を通して遠方のブルートゥース携帯電話端末６と無線通信を行うことができ、携帯電話端末ハンズフリー通話の目的を達成することができる。
【０００７】
さらに図４に示すように、本考案の本体４は、公衆電話通信、IP電話通信及びブルートゥース携帯電話端末６との無線通信等機能を統合し、使用者の各種通信へのニーズに応えることができる。使用者は本体４上のボタンモジュールにより電話番号を発信することができ、また前記各項の通信機能を選択することもできる。しかも、本体４上のディスプレー４０６により、本体の電池残量、充電状態、発信番号、電話帳のデータ等を表示し知ることができる。
この他、本考案はさらにブルートゥースイヤホーン５を通信時のハンズフリー受話器として利用し、同時に、本考案の本体４はさらに音声拡張機能を提供し、これにより通信時には、第三者或いは多人数が通話に参加可能である。図４中において、ブルートゥースイヤホーン５は信号伝送端５０を備え、しかも本体４はイヤホーン載置槽４０と制御回路板（図示なし）を備える。ブルートゥースイヤホーン５はイヤホーン載置槽４０内に収容され、定位の精確性を達成する（つまり、正確に配置される。）。
本実施例の別の外観図である図５に示すように、ブルートゥースイヤホーン５と本体４の結合時には、ブルートゥースイヤホーン５の信号伝送端５０は本体４上の電気連接器４１４と制御回路板を通して電気的に接続される。前記の電気連接器４１４はUSB伝送インターフェースである。
【０００８】
また図４に示すように、本実施例のブルートゥースイヤホーン５と本体４の迅速な接続を強化するため、本考案はさらにブルートゥースイヤホーン５上に吸着可能部品５２を設置し、しかも本体４のイヤホーン載置槽４０中には、磁性部品４１５を設置する。この種の磁性吸着の設計により、ブルートゥースイヤホーン５が本体４のイヤホーン載置槽４０に接近すると、磁性部品４１５が磁性吸引効果を生じるため、ブルートゥースイヤホーン５の吸着可能部品５２を吸着し、ブルートゥースイヤホーン５はイヤホーン載置槽４０中に迅速に収容され、またブルートゥースイヤホーン５の信号伝送端５０は本体４の電気連接器４１４に電気的に接続される。前記の電気連接器４１４は伝送接点インターフェースである。
【０００９】
本考案の第一実施例の回路ブロックチャートである図６に示すように、本考案の統合式通信装置はブルートゥースイヤホーン５と本体４を含む。
本体４中の制御回路板は制御モジュール４０１、ブルートゥースモジュール４０８、無線IP電話モジュール４１０、公衆電話モジュール４０３、音声情報エンコード/デコード回路４０７、判断・充電回路４１１、音声情報切換モジュール４０５、音声拡張器４１２、マイク４１３及びエコー消去回路４０９を含む。
図４に対応し、さらに図６に示すように、ブルートゥースモジュール４０８はブルートゥースイヤホーン５或いはブルートゥース携帯電話端末６と音声無線伝送を行う。
無線IP電話モジュール４１０はインターネット８と接続を形成し、しかもIP電話通信サービスを提供する。
公衆電話モジュール４０３は公衆電話ネットワーク７と接続を形成し、しかも一般市内通話通信サービスを提供する。
音声情報エンコード/デコード回路４０７はブルートゥースモジュール４０８に接続され、アナログ音声情報とデジタル音声情報の転換を提供する。
判断・充電回路４１１は本体４のイヤホーン載置槽４０中にブルートゥースイヤホーン５が収容されているかどうかを判断し、ブルートゥースイヤホーン５がイヤホーン載置槽４０に収容されている時には、ブルートゥースイヤホーン５に対して充電を行う。
音声情報切換モジュール４０５は音声情報エンコード/デコード回路４０７と公衆電話ネットワーク７に接続され、音声情報伝送ルートの切換えを行う。
エコー消去回路４０９は音声情報切換モジュール４０５、音声拡張器４１２及びマイク４１３に接続され、音声拡張器４１２とマイク４１３の作動時に発生する共鳴音（ECHO）を消去する。
【００１０】
続いて図６に示すように、制御モジュール４０１はブルートゥースモジュール４０８、無線IP電話モジュール４１０、公衆電話モジュール４０３、音声情報エンコード/デコード回路４０７、判断・充電回路４１１及び音声情報切換モジュール４０５に接続される。制御モジュール４０１はシステム制御ソフトウエアにより、前記各モジュール及び回路に対して制御を行う。
さらに図６に示すように、制御モジュール４０１はディスプレー４０６とボタンモジュール４０２に接続される。制御モジュール４０１はディスプレー４０６を制御し、電池残量、充電状態、発信番号、電話帳等データの表示を行うことができる。しかも、ボタンモジュール４０２は電話番号及び各項機能指令を制御モジュール４０１に提供することができ、これにより制御モジュール４０１に指示し、番号発信、音声情報伝送ルートの選択、通信ネットワークの選択等機能操作などの関連操作を行わせる。
図５に対応し、さらに図６に示すように、制御モジュール４０１はボタンモジュール４０２の機能指令における指示を受け、ブルートゥースモジュール４０８、無線IP電話モジュール４１０、公衆電話モジュール４０３、音声情報エンコード/デコード回路４０７及び音声情報切換モジュール４０５の作動を制御する。機能指令がダイヤル発信或いは一般市内通話の受信実施である時には、制御モジュール４０１は公衆電話モジュール４０３を制御し、公衆電話ネットワーク７と接続を形成し、一般市内通話通信サービスを提供する。この時、制御モジュール４０１は同時に音声情報切換モジュール４０５を制御し、これにより公衆電話モジュール４０３はエコー消去回路４０９と音声拡張器４１２、マイク４１３を通して音声情報伝送ルートを確立する。これにより使用者は公衆電話ネットワーク７のダイヤル発信或いは一般市内通話の受信を通して、第三者或いは多人数が通話に参加する機能を達成することができる。
【００１１】
図４に対応し、さらに図６に示すように、使用者がプライベートな通話を希望する場合には、本体４に結合するブルートゥースイヤホーン５を取り出し、ブルートゥースイヤホーン５を使用してプライベートな通話を行うことができる。この時、判断・充電回路４１１は通知指令を制御モジュール４０１に送出し、制御モジュール４０１にブルートゥースイヤホーン５が既に本体４と分離されたことを告知する。制御モジュール４０１はブルートゥースイヤホーン５と本体４の分離を知ると、音声情報切換モジュール４０５を制御し音声情報伝送ルートの切換えを行う。これにより公衆電話モジュール４０３は音声情報エンコード/デコード回路４０７とブルートゥースモジュール４０８を通して音声情報伝送ルートを確立する。この時、制御モジュール４０１はブルートゥースモジュール４０８を制御し、ブルートゥースイヤホーン５と音声無線伝送を行わせ、こうしてプライベートな通話機能を達成することができる。
【００１２】
また、使用者はボタンモジュール４０２を操作し、制御モジュール４０１に指示し、音声情報切換モジュール４０５に音声情報伝送ルートの切換えを行わせることができる。これにより公衆電話モジュール４０３はエコー消去回路４０９と音声拡張器４１２、マイク４１３を通して音声情報伝送ルートを確立し、同時に、音声情報エンコード/デコード回路４０７とブルートゥースモジュール４０８を通して音声情報伝送ルートを確立することができる。こうして、使用者に公衆電話ネットワーク７を通してダイヤル発信或いは一般市内通話受信を同時に提供し、第三者或いは多人数が通話に参加する機能及びプライベートな通話機能を達成することができる。
図５に合わせて、さらに図６に示すように、制御モジュール４０１がボタンモジュール４０２の機能指令の指示を受け、機能指令がダイヤル発信或いはIP電話受信の実施である時には、制御モジュール４０１は無線IP電話モジュール４１０を制御し、インターネット８と接続を形成し、しかもIP電話通信サービスを提供する。この時、該制御モジュール４０１は同時に音声情報切換モジュール４０５を制御し、無線IP電話モジュール４１０は制御モジュール４０１及び音声情報エンコード/デコード回路４０７を通して、音声拡張器４１２及びマイク４１３と音声情報伝送ルートを確立し、これにより使用者にインターネット８を通してダイヤル発信或いはIP電話受信を提供可能で、こうして第三者或いは多人数が通話に参加する機能を達成することができる。
【００１３】
図４に対応し、さらに図６に示すように、使用者がプライベートな通話を希望する場合には、本体４に結合するブルートゥースイヤホーン５を取り出し、ブルートゥースイヤホーン５を使用してプライベートな通話を行うことができる。この時、判断・充電回路４１１は通知指令を制御モジュール４０１に送出し、制御モジュール４０１にブルートゥースイヤホーン５が既に本体４と分離されたことを告知する。制御モジュール４０１はブルートゥースイヤホーン５と本体４の分離を知ると、音声情報切換モジュール４０５を制御し音声情報伝送ルートの切換えを行う。無線IP電話モジュール４１０は制御モジュール４０１及び音声情報エンコード/デコード回路４０７を通して、ブルートゥースモジュール４０８と音声情報伝送ルートを確立する。この時、制御モジュール４０１はブルートゥースモジュール４０８を制御し、ブルートゥースイヤホーン５と音声無線伝送を行わせ、こうしてプライベートな通話機能を達成することができる。
【００１４】
また、使用者は該ボタンモジュール４０２を操作し、制御モジュール４０１に指示し、音声情報切換モジュール４０５に音声情報伝送ルートの切換えを行わせることができる。こうして無線IP電話モジュール４１０は制御モジュール４０１及び音声情報エンコード/デコード回路４０７を通して、音声拡張器４１２及びマイク４１３と音声情報伝送ルートを確立し、同時に、制御モジュール４０１及び音声情報エンコード/デコード回路４０７を通して、ブルートゥースモジュール４０８と音声情報伝送ルートを確立する。こうして使用者にインターネット８を通してダイヤル発信或いはIP電話受信を提供可能で、第三者或いは多人数が通話に参加する機能及びプライベートな通話機能を達成することができる。
【００１５】
図５に合わせて、さらに図６に示すように、制御モジュール４０１がボタンモジュール４０２の機能指令の指示を受け、機能指令がブルートゥース携帯電話端末６を通したダイヤル発信或いは通話受信の実施である時には、制御モジュール４０１はブルートゥースモジュール４０８を制御し、ブルートゥース携帯電話端末６と接続を形成し、しかも無線通信サービスを提供する。この時、制御モジュール４０１は音声情報切換モジュール４０５を同時に制御し、こうしてブルートゥースモジュール４０８は音声情報エンコード/デコード回路４０７を通して音声拡張器４１２及びマイク４１３と音声情報伝送ルートを確立し、使用者にブルートゥース携帯電話端末６を通してダイヤル発信或いは電話受信を提供可能で、こうして第三者或いは多人数が通話に参加する機能を達成することができる。
【００１６】
図４に対応し、さらに図６に示すように、使用者がプライベートな通話を希望する場合には、本体４に結合するブルートゥースイヤホーン５を取り出し、ブルートゥースイヤホーン５を使用しプライベートな通話を行うことができる。この時、判断・充電回路４１１は通知指令を制御モジュール４０１に送出し、制御モジュール４０１にブルートゥースイヤホーン５が既に本体４と分離されたことを告知する。制御モジュール４０１はブルートゥースイヤホーン５と本体４の分離を知ると、音声情報切換モジュール４０５を制御し、音声拡張器４１２及びマイク４１３と確立した音声情報伝送ルートを切断する。この時、制御モジュール４０１はブルートゥースモジュール４０８を制御し、ブルートゥースイヤホーン５と音声無線伝送を行わせ、こうしてプライベートな通話機能を達成することができる。
また、使用者はボタンモジュール４０２を操作し、制御モジュール４０１に指示し、音声情報切換モジュール４０５に音声情報伝送ルートの切換えを行わせることができる。こうしてブルートゥースモジュール４０８は音声情報エンコード/デコード回路４０７を通して音声拡張器４１２及びマイク４１３と音声情報伝送ルートを確立し、同時に、ブルートゥースイヤホーン５と音声無線伝送を行うことができる。これにより使用者にブルートゥース携帯電話端末６を通してダイヤル発信或いは電話受信を提供可能で、第三者或いは多人数が通話に参加する機能及びプライベートな通話機能を達成することができる。
【００１７】
本考案の第二実施例の外観図である図７に示すように、本考案の第二実施例の統合式通信装置はブルートゥースイヤホーン５’と無線受話器本体９を含む。
本考案の無線受話器本体９は台体１０に連結し、台体１０は公衆電話ネットワーク（PSTN）７に有線接続される。無線受話器本体９はブルートゥース通信技術により台体１０とブルートゥースイヤホーン５’に無線接続され、一般市内通話へのダイヤル発信を提供することができる。
この他、使用者は無線受話器本体９上のボタンモジュール９０２を通して電話番号を発信し、及び前記各項の通信機能を選択することができる。しかも、無線受話器本体９上のディスプレー９０６により、本体の電池残量、充電状態、発信番号、電話帳のデータ等を表示し知ることができる。本考案はさらに、ブルートゥースイヤホーン５’を通信時のハンズフリー受話器として使用することができる。
【００１８】
図７において、ブルートゥースイヤホーン５’は信号伝送端５０’を備え、しかも無線受話器本体９はイヤホーン載置槽９０と制御回路板（図示なし）を備える。ブルートゥースイヤホーン５’はイヤホーン載置槽９０内に収容され、定位の精確性を達成する。ブルートゥースイヤホーン５’と無線受話器本体９の結合時には、ブルートゥースイヤホーン５’の信号伝送端５０’は無線受話器本体９上の制御回路板と電気的に接続される。
さらに図７に示すように、本実施例のブルートゥースイヤホーン５’と無線受話器本体９の迅速な接続を強化するため、本考案はさらにブルートゥースイヤホーン５’上において吸着可能部品５２’を設置し、しかも無線受話器本体９のイヤホーン載置槽９０中においては、磁性部品９１５を設置する。この種の磁性吸着の設計により、ブルートゥースイヤホーン５’が無線受話器本体９のイヤホーン載置槽９０に接近すると、磁性部品９１５が磁性吸引効果を生じ、ブルートゥースイヤホーン５’の吸着可能部品５２’を吸引し、こうしてブルートゥースイヤホーン５’はイヤホーン載置槽９０中に迅速に収容され、ブルートゥースイヤホーン５’の信号伝送端５０’は無線受話器本体９の制御回路板に電気的に接続される。
【００１９】
本考案の第二実施例の回路ブロックチャートである図８に示すように、無線受話器本体９中の制御回路板は制御モジュール９０１、ブルートゥースモジュール９０８、公衆電話モジュール９０３、音声情報エンコード/デコード回路９０７、判断・充電回路９１１、音声情報切換モジュール９０５、音声拡張器９１２、マイク９１３及びエコー消去回路９０９を含む。
図６に対応し示すように、本考案の第二実施例と第一実施例の差異は、第二実施例の回路には無線IP電話モジュール４１０がない点である。これは、第二実施例では公衆電話ネットワーク（PSTN）７のみと接続し、一般市内通話のダイヤル発信及び受信だけを提供するためである。
【００２０】
上記のように、本考案の統合式通信装置は公衆電話ネットワーク（PSTN）とIP電話（VoIP）を結合し、一般市内通話或いはIP電話へのダイヤル発信を提供することができる。同時に本考案はブルートゥースイヤホーンを結合し、ハンズフリー受話器として使用可能とし、しかも提供する音声拡張機能により、第三者或いは多人数が通話に参加することができる。本考案の長所は以下の通りである。
１．本考案の統合式通信装置は公衆電話ネットワークとIP電話を交差使用或いは同時使用可能で、しかも通信システムに対応し多方向通信機能を達成することができる。
２．本考案のブルートゥースイヤホーンと本体は合併使用が可能で、通信システムに対応し多方向通信機能を達成することができる。
３．本考案のブルートゥースイヤホーンと本体は分離しそれぞれの機能を使用可能で、通信システムに対応し多方向通信機能を達成することができる。
こうして、本考案は使用者に通信における多種の選択肢を提供し、人々の生活或いは仕事における通話品質を向上させることができる。よって本考案は実用新案の進歩性要件に完全に符合している。
本考案は具体的実施例を上記の通り開示したが、これらは最適な実施例に過ぎず、本考案に限定するものではない。当該技術を熟知する者なら誰でも、本考案の思想の領域を脱しない範囲内で各種の変更や潤色を加えることができ、したがって本考案の保護範囲は、実用新案請求の範囲で指定した内容を基準とする。
【図面の簡単な説明】
【００２１】
【図１】一般の伝統的な電話器の実施形態図である。
【図２】一般の伝統的な無線電話器の実施形態図である。
【図３】公知のブルートゥースイヤホーンとブルートゥース携帯電話端末の通信構造図である。
【図４】本考案の第一実施例の外観図である。
【図５】本考案の第一実施例の別の外観図である。
【図６】本考案の第一実施例の回路ブロックチャートである。
【図７】本考案の第二実施例の外観図である。
【図８】本考案の第二実施例の回路ブロックチャートである。
【符号の説明】
【００２２】
１  ブルートゥースイヤホーン
２  伝統的な電話器
２０  番号発信本体
２２  受話器
２４  通信連接線
２６  伝送線
７  公衆電話ネットワーク（PSTN）
２８  ボタン
２’  無線番号発信受話器
２０’  ベース
３  ブルートゥース携帯電話端末
Ｓ１  着信音声情報
Ｓ２  音声情報
１０  台体
４、９  本体
４０、９０  イヤホーン載置槽
４０１、９０１  制御モジュール
４０２、９０２  ボタンモジュール
４０３、９０３  公衆電話モジュール
４０５、９０５  音声情報切換モジュール
４０６、９０６  ディスプレー
４０７、９０７  音声情報エンコード/デコード回路
４０８、９０８  ブルートゥースモジュール
４０９、９０９  エコー消去回路
４１０  無線IP電話モジュール
４１１、９１１  判断と充電回路
４１２、９１２  音声拡張器
４１３、９１３  マイク
４１４  電気連接器
４１５、９１５  磁性部品
５、５’  ブルートゥースイヤホーン
５０、５０’  信号伝送端
５２、５２’  吸着可能部品
６  ブルートゥース携帯電話端末
７  公衆電話ネットワーク
８  インターネット
【図１】
0003134043.tif 000003
【図２】
0003134043.tif 000004
【図３】
0003134043.tif 000005
【図４】
0003134043.tif 000006
【図５】
0003134043.tif 000007
【図６】
0003134043.tif 000008
【図７】
0003134043.tif 000009
【図８】
0003134043.tif 000010